(57)【要約】【課題】鳥害を確実に防止でき、取扱性に優れると共に、トラッキングを防止して長期間安定的に絶縁特性を維持することが可能な充電部接続端子カバーを提供する。【解決手段】磁器がいし１の上部と、線路端子２と、リード線３の先端とで形成された電気設備の充電部を覆う、充電部接続端子カバー１０であって、下面が開口した円筒状に形成され、上記磁器がいし１の上部外周との間に隙間１２ａを設けて取り付けられる本体１２を有する。上記本体１２の下側内周面には、その周方向全体に一定の間隔を置いて形成され、且つ、斜め下向きに突出する複数の傾斜片１４ａで構成された内鍔部１４が形成されている。上記の内鍔部１４は、上記本体１２の高さ方向にて複数段設けられる。また、上下に配置された内鍔部１４は、上記本体１２の周方向にて隣接する傾斜片１４ａの間に設けられた隙間１４ｂが、下面視において重ならないようにずらして配設される。【選択図】図１
2015033295.tif 000002
【特許請求の範囲】
【請求項１】
磁器がいし(１)の先端部と、その先端部に設けられた線路端子(２)と、該線路端子(２)に接続されたリード線(３)の先端とで形成された電気設備の充電部を覆う、充電部接続端子カバーであって、
下面が開口した円筒状に形成され、上記磁器がいし(１)の先端部外周との間に隙間(１２ａ)を設けて取り付けられる本体(１２)と、
上記本体(１２)の下側内周面にて、その周方向全体に一定の間隔を置いて形成され、且つ、斜め下向きに突出する複数の傾斜片(１４ａ)からなる内鍔部(１４)とで構成されており、
上記の内鍔部(１４)は、上記本体(１２)の高さ方向にて複数段設けられると共に、上下に配置された内鍔部(１４)は、上記本体(１２)の周方向にて隣接する傾斜片(１４ａ)の間に設けられた隙間(１４ｂ)が、下面視において重ならないようにずらして配設されていることを特徴とする充電部接続端子カバー。
【請求項２】
前記傾斜片(１４ａ)の下端を繋いで形成される前記内鍔部(１４)下端の内径(ｒ１)が、前記磁器がいし(１)の最大外径(ｒ２)よりも小さく、且つ、前記磁器がいし(１)の最小外径(ｒ３)よりも大きく形成されていることを特徴とする請求項１に記載の充電部接続端子カバー。
【請求項３】
前記本体(１２)及び前記内鍔部(１４)が可撓性の熱可塑性樹脂で一体的に形成されていることを特徴とする請求項１又は２に記載の充電部接続端子カバー。
【発明の詳細な説明】
【技術分野】
【０００１】
この発明は、例えば、避雷器，真空開閉器或いは気中開閉器と云ったような電気設備の充電部を覆って絶縁する、充電部接続端子カバーに関する。
【背景技術】
【０００２】
この種の充電部接続端子カバーには、従来では、下記の特許文献１(日本国・実開昭６４−２７８１６号公報)に記載されたものがある。その従来技術は、避雷器の碍子上部に形成される充電部の線路端子(すなわち充電部接続端子)を覆うように取り付けられる絶縁性の充電部接続端子カバーであって、次のように構成されている。
【０００３】
避雷器の碍子上部と、その碍子上部に設けられた線路端子と、その線路端子に接続された線路リード線と、を覆う笠状に形成される。この笠状の充電部接続端子カバーは、可撓性の部材で形成されるとともに、その下部及び底部が碍子上部に密着するように形成され、且つ側部には蛇腹が設けられている。
そして、この充電部接続端子カバーは、軸線にほぼ平行な断面に沿って、二つの部材に分割可能である。
【先行技術文献】
【特許文献】
【０００４】
【特許文献１】実開昭６４−２７８１６号公報
【発明の概要】
【発明が解決しようとする課題】
【０００５】
上記の従来技術には次のような問題がある。
すなわち、充電部接続端子カバーの下部及び底部が避雷器の碍子上部に密着するように取り付けられているため、鳥が避雷器の近傍に巣を作る際に、営巣材が碍子上部に接触して閃絡事故が生じるのを(いわゆる「鳥害」を)確実に防止することができる。しかしながら、この充電部接続端子カバーの下部及び底部と碍子上部（磁器部）との間でトラッキング回路が形成され、かかる回路からの漏電(トラッキング)により絶縁カバーがすぐに劣化する虞があった。
また、上記従来の充電部接続端子カバーは、二つの部材(パーツ)に分割されているため、これらを組み合わせた際、不所望な隙間が生じるおそれがあるのに加え、例えば半割れ形状の場合には、充電部接続端子カバーとして使用する際にホック止め等の止め構造が必要となり、長期間屋外で紫外線や風雨に曝されることによって当該止め構造の部分が劣化して絶縁カバーが脱落する危険性がある。さらに、このように充電部接続端子カバーが二つの部材に分割される構造では、製造時の管理や在庫管理が煩雑となるのに加え、充電部への取付作業性が劣るという問題、つまり、取扱性が劣るという問題もあった。
それゆえに、本発明の主たる課題は、鳥害を確実に防止でき、取扱性に優れると共に、トラッキングを防止して長期間安定的に絶縁特性を維持することが可能な充電部接続端子カバーを提供することにある。
【課題を解決するための手段】
【０００６】
上記の目的を達成するため、本発明は、例えば、図１から３に示すように、充電部接続端子カバー１０を次のように構成した。
磁器がいし１の先端部と、その先端部に設けられた線路端子２と、該線路端子２に接続されたリード線３の先端とで形成された電気設備の充電部を覆う、充電部接続端子カバー１０であって、下面が開口した円筒状に形成され、上記磁器がいし１の先端部外周との間に隙間１２ａを設けて取り付けられる本体１２を有する。上記本体１２の下側内周面には、その周方向全体に一定の間隔を置いて形成され、且つ、斜め下向きに突出する複数の傾斜片１４ａで構成された内鍔部１４が形成されている。上記の内鍔部１４は、上記本体１２の高さ方向にて複数段設けられる。また、上下に配置された内鍔部１４は、上記本体１２の周方向にて隣接する傾斜片１４ａの間に設けられた隙間１４ｂが、下面視において重ならないようにずらして配設される。
【０００７】
上記の発明は、次のような作用効果を奏する。
本体１２の下側内周面に、高さ方向にて複数段の内鍔部１４が設けられると共に、この内鍔部１４は、本体１２の周方向にて隣接する傾斜片１４ａの間に設けられた隙間１４ｂが、下面視において重ならないようにずらして配設されているので、充電部接続端子カバー１０の下端側からこの充電部接続端子カバー１０の内部に向けて、営巣材などが侵入するのを効果的に防止することができる。
なお、かかる作用は、傾斜片１４ａの下端を繋いで形成される内鍔部１４下端の内径ｒ１を、磁器がいし１の最大外径ｒ２よりも小さくすることで、より顕著となる。
【０００８】
また、充電部接続端子カバー１０の本体１２は、磁器がいし１の先端部外周との間に隙間１２ａを設けて取り付けられるので、当該がいし１と本体１２との間でトラッキング回路が形成されるのを防止することができる。
なお、かかる作用は、前述の内鍔部１４下端の内径ｒ１を、磁器がいし１の最小外径ｒ３よりも大きくすることで、より顕著となる。
【０００９】
また、本発明においては、本体１２及び内鍔部１４を可撓性の熱可塑性樹脂で一体的に形成することが好ましい。これにより、充電部接続端子カバー１０に不所望な隙間が生じるのを防止できると共に、ホック止め等の止め構造が不要となることから、長期間屋外で紫外線や風雨に曝された場合でも充電部接続端子カバー１０が充電部から脱落する心配はない。
【００１０】
さらに、本発明は、後述する実施形態に記載された特有の構成を付加することが好ましい。
【発明の効果】
【００１１】
本発明によれば、鳥害を確実に防止でき、取扱性に優れると共に、トラッキングを防止して長期間安定的に絶縁特性を維持することが可能な充電部接続端子カバーを提供することができる。
【図面の簡単な説明】
【００１２】
【図１】本発明における一実施例の充電部接続端子カバーの使用態様を示す部分断面図である。
【図２】本発明における一実施例の充電部接続端子カバーを示す図で、（ａ）は平面図、（ｂ）は正面図（背面図、左右の側面図）、（ｃ）は底面図である。
【図３】図２（ｂ）におけるＡ−Ａ線拡大断面図である。
【発明を実施するための形態】
【００１３】
以下、本発明を図示実施例に従って説明する。なお、以下の例では、充電部接続端子カバーで被覆する充電部として避雷器のものを例示するが、本発明の充電部接続端子カバーが適用される充電部はこれに限定されるものではなく、例えば、真空開閉器や気中開閉器など他の電気設備のものであってもよい。
図１は、本発明における一実施例の充電部接続端子カバー１０の使用態様を示す部分断面図である。
ここで、本発明の充電部接続端子カバー１０が取り付けられる磁器がいし１は、避雷器を構成する要素の一つで、外形が略蛇腹状に形成された長尺・磁器製の碍子本体１ａと、この碍子本体１ａに内蔵された酸化亜鉛などからなる避雷素子(図示せず)とを有する。この磁器がいし１の上端(先端)には線路端子２が立設されており、該線路端子２にリード線３の先端が接続される。そして、線路端子２が立設された磁器がいし１の上端(先端)部一帯が充電部になっており、この充電部を形成する磁器がいし１の上部，線路端子２及びリード線３の先端を覆うことによって、鳥害を防止し、これらの部分の絶縁を保護するのが、以下に詳述する本発明の充電部接続端子カバー１０である。
【００１４】
本発明における一実施例の充電部接続端子カバー１０は、図１〜３で示すように、大略、本体１２と内鍔部１４とで構成されている。
【００１５】
本体１２は、例えば難燃性ポリエチレン樹脂等のように絶縁性、耐候性及び可撓性を兼ね備える材料を、下面(底面)が開口する円筒状に形成した部材である。この本体１２内部における天面と周面との接続部分には、図１で示すように、その肉が略L字状に突出した係止突起１６が周方向に間隔を置いて複数設けられており、この本体１２を磁器がいし１の上部に取り付けた際に、上記の係止突起１６が碍子本体１ａの上端角に引っ掛かり、本体１２と磁器がいし１の上部外周との間に隙間１２ａが生じるようになっている。また、この本体１２の上面中央には、上端に開口が設けられた逆漏斗状の小径部１８が連設されており、この小径部１８によって線路端子２とこれに接続されるリード線３の先端とが囲繞されるようになっている。
そして、本体１２の下側内周面には、内鍔部１４が設けられている。
【００１６】
内鍔部１４は、本体１２の下側内周面が、周方向全体に一定の間隔を置いて、斜め下向きに突出した複数の傾斜片１４ａで構成された部材である。この内鍔部１４は、本体１２の高さ方向にて複数段設けられる。なお、図示実施例の場合は、本体１２の下端に設けられた下段と、本体の内部に設けられた上段との二段構成である。そして、上下に配置された内鍔部１４は、本体１２の周方向にて隣接する傾斜片１４ａの間に設けられた隙間１４ｂが、底面視において重ならないようにずらして配設されている（図２(ｃ)及び図３参照）。
【００１７】
ここで、この内鍔部１４は、図１で示すように、傾斜片１４ａの下端同士を結ぶ仮想線(図示せず)で表現される(すなわち、傾斜片１４ａの下端を繋いで形成される)内鍔部１４下端の内径ｒ１が、前述の磁器がいし１の最大外径ｒ２よりも小さく、且つ、磁器がいし１の最小外径ｒ３よりも大きくなるように形成するのが好ましい。内鍔部１４下端の内径ｒ１をこのような寸法にすることで、「充電部接続端子カバー１０内部への営巣材の侵入」及び「磁器がいし１と本体１２との間でのトラッキング回路形成」といったトレードオフの関係にある二つの事象を同時に且つより一層効果的に防止することができるようになるからである。
【００１８】
以上のように構成された充電部接続端子カバー１０を製造する際には、上述した難燃性ポリエチレン樹脂のような熱可塑性樹脂を用い、充電部接続端子カバー１０の型が転写された金型に上記樹脂を射出する。そして、射出した樹脂が冷却・固化して成形品を得た後、金型からその成形品を無理抜きすることで、本体１２と内鍔部１４とが一体的に形成された充電部接続端子カバー１０が完成する。
【００１９】
本実施形態の充電部接続端子カバー１０によれば、本体１２の下側内周面に、高さ方向にて二段の内鍔部１４が設けられると共に、この内鍔部１４は、本体１２の周方向にて隣接する傾斜片１４ａの間に設けられた隙間１４ｂが、底面視において重ならないようにずらして配設されているので、充電部接続端子カバー１０の下端側からこの充電部接続端子カバー１０の内部に向けて、営巣材などが侵入するのを効果的に防止することができる。
【００２０】
また、充電部接続端子カバー１０の本体１２は、磁器がいし１の上部外周との間に隙間１２ａを設けて取り付けられるので、当該がいし１と本体１２との間でトラッキング回路が形成されるのを防止することができる。その結果、漏電によって充電部接続端子カバー１０が劣化するのを防止することができる。
【００２１】
さらに、充電部接続端子カバー１０が１つの部材(パーツ)で出来上がっているので、充電部接続端子カバー１０に不所望な隙間が生じるのを防止できると共に、ホック止め等の止め構造が不要となることから、長期間屋外で紫外線や風雨に曝された場合でも充電部接続端子カバー１０が充電部から脱落する心配はない。
【００２２】
なお、上述の実施形態では、係止突起１６によって、本体１２と磁器がいし１の上部外周との間に隙間１２ａを形成する場合を示したが、このような隙間１２ａを形成する態様は上記の係止突起１６に限定されるものではない。
【００２３】
また、上述の実施形態では、内鍔部１４を上下二段に形成する場合を示したが、この内鍔部１４は高さ方向に複数段形成されるものであれば如何なる態様であってもよく、三段以上形成するようにしてもよい。
【符号の説明】
【００２４】
１…磁器がいし
１ａ…碍子本体
２…線路端子
３…リード線
１０…充電部接続端子カバー
１２…本体
１２ａ…(本体内周と磁器がいし外周との間の)隙間
１４…内鍔部
１４ａ…傾斜片
１４ｂ…(傾斜片同士の)隙間
１６…係止突起
１８…小径部
ｒ１…内鍔部下端の内径
ｒ２…磁器がいしの最大外径
ｒ３…磁器がいしの最小外径
【図１】
2015033295.tif 000003
【図２】
2015033295.tif 000004
【図３】
2015033295.tif 000005